(57)【特許請求の範囲】
【請求項１】
香を焚くための香炉であって、該香炉は、ペットの遺骨９や遺品などを収納するために設けられ、上面に開口８を有する下段容器２と、該下段容器２の開口８に着脱自在に設けられ、上面に開口８を有する香炉としての上段容器３と、前記上段容器３の開口８に着脱自在に設けられ、該開口８を覆う蓋体４とを有し、
前記下段容器２の内部には、前記下段容器２の内径より小さな外径を有し、遺骨９が焼き込み又は接着によって固着された状態で収納された遺骨皿７が設けられており、
前記蓋体４は、前記上段容器３内で香を焚く際に前記上段容器３から取り外されるように構成されており、
前記上段容器３及び前記下段容器２の側面には、それぞれ、複数の突部５が設けられており、それらが紐状の結合部材６によって結合されることによって、前記上段容器３と前記下段容器２とが結合されていることを特徴とする葬祭用香炉１。
【請求項２】
前記突部５が前記結合部材６を通すことのできるリング状になっていることを特徴とする請求項１に記載の葬祭用香炉１。
【請求項３】
香を焚くための香炉であって、該香炉は、ペットの遺骨９や遺品などを収納するために設けられ、上面に開口８を有する下段容器２と、該下段容器２の開口８に着脱自在に設けられ、上面に開口８を有する香炉としての上段容器３と、前記上段容器３の開口８に着脱自在に設けられ、該開口８を覆う蓋体４とを有し、
前記下段容器２の内部には、前記下段容器２の内径より小さな外径を有し、遺骨９が焼き込み又は接着によって固着された状態で収納された遺骨皿７が設けられており、
前記蓋体４には、前記上段容器３の開口８を覆った状態で香を焚くことを可能とする孔が設けられており、
前記上段容器３及び前記下段容器２の側面には、それぞれ、複数の突部５が設けられており、それらが紐状の結合部材６によって結合されることによって、前記上段容器３と前記下段容器２とが結合されていることを特徴とする葬祭用香炉１。
【発明の詳細な説明】
【０００１】
【発明の属する技術分野】
本発明は、葬祭用香炉に関し、更に詳しくは、愛玩動物の遺骨や遺品などが収容可能な葬祭用香炉に関する。
【０００２】
【従来の技術】
近年、都市化が進み、地域社会の人間関係が希薄になっている。それに端を発し、ペットを我が子と同様に可愛がるとともに、家族同然であると考える傾向が高まっている。しかし、ペットの寿命は短く、飼い主の大半は自分のペットの死を目の当たりにしなくてはならない。その際、共に暮らしてきたペットの死が、立ち直れないほどの深い悲しみを飼い主に与えることがある。
【０００３】
また、従来、ペットを葬る際には、最も単純な土葬を用いることがほとんどであった。しかし、都市化などによりペットの土葬が困難になったことや、ペットを家族同然に考え、遺体を人間と同様の方法で葬りたいとの要望が強まったことなどから、ペットの火葬が行われ、ペット専用の霊園などにその遺骨が収められるようになった。
【０００４】
その場合、飼い主の多くは、ペットの唯一の形見である遺骨を全てペット用霊園に納骨してしまうのではなく、その一部を形見として残す。そうすることで、在りし日のペットに思いを馳せたり、語りかけたりでき、ペットとの離別に対する悲しみを和らげることができるためである。そこで飼い主は、遺骨の一部を紙や袋に包むなどして保管したり、持ち歩いたりしていた。しかし、遺骨はもろく、包んで持ち歩くなどしているうちに崩れてしまったり、何かの拍子にこぼれて飛散しまうなどといったことがしばしばあった。また、中には遺骨の入った骨壷をそのまま部屋に置く飼い主もいるが、骨壷は、室内装飾品としては不向きなものであり、また、遺骨をそのまま手元に置くことは、あまり気持ちの良いものではないため、目立たない場所に置かれることが多かった。
【０００５】
一方、香を焚くことにより発生する香りには精神を高揚・鎮静させる作用があるため、従来より香は、日常生活のあらゆる場面で使用されてきた。宗教的な儀式の多く、中でも死者を祭る儀式などにはよく用いられ、その際には人々の精神を鎮め、さらには死者の魂を慰めるとされてきた。そのため、死者に香を供えることは、現在でもごく日常的に行われ、仏教の行事である墓参りなどにて墓に香を供えることは、先人を偲ぶ良い機会となっている。
【０００６】
これは、ペットについても同様である。ペットの死の直後にはそのペットの死を悲しみ、手厚く葬ったりするが、時が経過するにつれ、だんだんとそのペットとの思い出を忘れていってしまう。これは、日常生活の中で、在りし日のペットを偲ぶ機会がないからであり、仕方のないことである。しかし、ペットに香を供えることを習慣にすれば、香を供える度に在りし日のペットを偲ぶことができ、ペットとの思い出を長く記憶に留めておくことができる。
【０００７】
また、ペットとの離別によって、飼い主が、その精神的ダメージから、情緒不安定に陥ることは少なくない。そのような状態の時に、精神を鎮静させる効果を有する香の香りを嗅ぐことは、精神衛生上好ましく、効果的だと考えられる。このように、ペットに香を供えることは、ペットとの思い出を長く記憶にとどめておくことを可能にするだけでなく、香の香りを嗅ぐことによって飼い主の精神を鎮静させる効果を有するため、たいへん好ましい。
【０００８】
そのため、ペットの遺骨を保存する器としての機能と、香を焚く器としての機能とを併有するペット用メモリアルグッズがあることが好ましいが、今までそのようなものはなかった。すなわち、上述したような骨壷又は香炉単独の機能を有する器は従来より用いられてきたが、それらはいずれも独自の設計、デザインにより制作されたものであったため、組み合わせて使用することはできなかった。特に骨壷は、その大半が霊園等に納骨されることから、室内装飾品としてのデザイン性を有していなかった。そのため、これらは、デザイン上の統一や調和がなされていないことから、室内に並べて飾ることがあまり好ましいものではなかった。
【０００９】
【発明が解決しようとする課題】
本発明は、香炉と、ペットの遺骨や遺品などを収納する骨壷との機能を併有する容器の中に、遺骨の一部が固着された遺骨皿を設けることによって、遺骨の保存が容易で、かつ室内装飾品としても利用価値の高い葬祭用香炉を提供することを目的とする。
【００１０】
【課題を解決するための手段】
上記目的を達成するために、本発明の葬祭用香炉は、ペットの遺骨や遺品などを収納するために設けられ、上面に開口を有する下段容器と、該下段容器の開口に着脱自在に設けられ、上面に開口を有する香炉としての上段容器と、上段容器の開口に着脱自在に設けられ、該開口を覆う蓋体とを有し、
下段容器の内部には、下段容器の内径より小さな外径を有し、遺骨が焼き込み又は接着によって固着された状態で収納された遺骨皿が設けられており、
蓋体は、上段容器内で香を焚く際に上段容器から取り外されるように構成されており、
上段容器及び下段容器の側面には、それぞれ、複数の突部が設けられており、それらが紐状の結合部材によって結合されることによって、上段容器と下段容器とが結合されていることを特徴とする。
【００１１】
以上のような構成によれば、香炉に骨壷の機能を付加することが可能となり、室内装飾品としても利用価値の高い葬祭用香炉が実現する。
【００１２】
また、上段容器の開口に着脱自在に設けられ、該開口を覆う蓋体を有するため、香炉の不使用時における灰などの飛散を防止することができる。
【００１３】
また、このような構造を用いることにより、遺骨を保存しておくための下段容器に強固に封をすることが可能となり、子供のいたずらなどによって不必要なときに遺骨収容部が開けられることを防止することができる。
【００１４】
また、前記下段容器の内部に、下段容器の内径より小さな外径を有し、愛玩動物の遺骨が焼き込み又は接着によって固着された状態で収納された遺骨皿を設けるため、ペットの遺骨の飛散や風化等を防止するとともに、従来、困難であるとされてきた遺骨の保存を容易にすることができる。
さらにまた、蓋体に上段容器の開口を覆った状態で香を焚くことを可能とする孔を設けることにより、蓋体を上段容器から取り外すことなく香を焚くことができるとともに、香を焚く際の香炉の美観を整えることができる。
【００１５】
本発明の他の目的、構成、及び効果は、図面を参照して行う以下の実施形態の説明からより明らかとなるであろう。
【００１６】
【発明の実施の形態】
以下、本発明の葬祭用香炉を添付図面に示す好適実施形態に基づいて詳述する。
【００１７】
図１は、本発明の葬祭用香炉の第１実施形態の外観を示す斜視図、図２は、本発明の第１実施形態の分解斜視図、図３（a）は、本発明の第１実施形態に用いられている下段容器の上面図、図３（ｂ）は、本発明の第１実施形態に用いられている上段容器の上面図である。図４は、本発明の葬祭用香炉の第２実施形態の外観を示す斜視図、図５は、本発明の第２実施形態の分解斜視図である。図６は、本発明の葬祭用香炉の第３実施形態の外観を示す斜視図、図７は、本発明の第３実施形態の分解斜視図である。
【００１８】
まず、本発明の第１実施形態について詳述する。
図１及び図２に示すように、本発明の第１実施形態の葬祭用香炉１は、概略、遺骨や遺品などを収納するために設けられ、上面に開口８を有する下段容器２と、該下段容器２の開口８に着脱自在に設けられ、上面に開口８を有する上段容器３と、該上段容器３の開口８を覆う蓋体４と、前記上段容器３及び下段容器２のそれぞれに設けられた突部５に通し、前記上段容器３と前記下段容器２とを結合するための紐状の結合部材６と、前記下段容器２の内部に設けられるペットの遺骨９が固着された遺骨皿７とによって構成されている。
【００１９】
より詳しく説明すると、本実施形態の下段容器２は、陶器、金属、石など不燃性又は難燃性の材質によって成形されている。その上面には、遺骨皿７などの出し入れのための開口８が、側面には該下段容器２と後述する上段容器３とを紐状の結合部材６によって結合するためのリング状の突部５が設けられている。前記突部５は、図３（ａ）に示すような配置で４つ設けられ、各突部５同士が容器の中心軸に対して約９０°の間隔を有している。
【００２０】
上段容器３は、前記下段容器２と同様に陶器、金属、石など不燃性又は難燃性の材質によって成形されており、前記下段容器２と組み合わせた場合にデザイン上の統一がなされるようになっている。該上段容器３の上面には、香や灰などを出し入れするための開口８が、側面には該上段容器３と前記下段容器２とを紐状の結合部材６によって結合するためのリング状の突部５が設けられている。該突部５は図３（ｂ）に示すような配置で３つ設けられ、前記下段容器２と同様に各突部５同士が容器の中心軸に対して約９０°の間隔を有している。ここで、上段容器３に設けられた突部５が前記下段容器２に設けられた突部５の個数より１つ少ないのは、下段容器２と上段容器３とを紐状の結合部材６を用いて後述する結合方法にて結合する際に、結び目がきれいに水平方向を向くようにするためである。なお、この突部５の個数は、前記上段容器３と下段容器２とを結合することが可能であれば幾つでも設けることが可能であり、上段容器３と下段容器２の突部５の個数を同数にすることも可能である。さらに、この突部の形状も、本実施形態に限定されることはなく、形状の工夫により装飾性を向上させることが可能であることは言うまでもない。
【００２１】
蓋体４は、前記下段容器２及び上段容器３と同様に陶器、金属、石など不燃性又は難燃性の材質によって成形されており、前記下段容器２及び上段容器３と組み合わせた場合のデザイン上の統一が図られている。該蓋体４は、前記上段容器３の開口８を覆うように設けられている。本実施形態において該蓋体４の外径は、上段容器３の内径より大きく、外径より小さい大きさになっている。ここで、蓋体４の外径は、前記上段容器３の開口８を覆うことが可能であれば、様々な大きさにすることが可能であり、その場合には、装飾を施すなどの形状の工夫を施すことが当然可能である。また、本第１実施形態の蓋体４は孔を有さないが、蓋体４に孔を設けたものを用いることにより、蓋体４を取り付けた状態で香を焚くことができる構造にすることができ、そのようにすることで、香を焚く際の香炉の美観を整えることができる。
【００２２】
結合部材６は、本実施形態では装飾性を向上させるため、リボン状の細長い布を用いている。なお、結合部材６は、材質、形状共に本第１実施形態に限定されることはなく、様々なものを用いることができることは言うまでもない。その一例を挙げると、結合部材６に金属製の鎖を用い、結合に錠前を用いることも可能である。そのようにすることにより、前記下段容器２を簡単な金庫のように使用することが可能となり、遺骨を厳重に保存することが可能となる。
【００２３】
遺骨皿７は、前記下段容器２の内径より小さな外径を有する皿に焼き込み又は接着によって遺骨９が固着されたものである。遺骨９を遺骨皿７に焼き込む場合には遺骨皿７を陶磁器製とする必要があるが、接着によって固着する場合には遺骨皿７の材質は陶器以外に、金属、樹脂等様々なものを用いることが可能である。ここで遺骨９を陶磁器製の皿に焼き込む場合についての遺骨皿７の製法について詳述する。
【００２４】
まず、生地となる土を皿の形に成形し、乾燥したものを摂氏８００度前後の(摂氏７５０度ないし摂氏８５０度)の窯にて素焼きし、素焼き皿を作る。
【００２５】
次に、前記素焼き皿に珪酸塩化合物を主成分とした釉薬を塗布した後に遺骨９を載置する。
【００２６】
ここで、遺骨９と遺骨皿７の間の釉薬によって、遺骨９は遺骨皿７に固着されるが、さらに、その上から釉薬を塗布することによって、より強固に遺骨９を遺骨皿７に固着させることが可能となる。
【００２７】
そして、摂氏１２５０度前後(摂氏１２００度ないし摂氏１３００度)の窯にて本焼きを行うことにより遺骨皿７が完成する。
【００２８】
これらを使用する際には、まず下段容器２に遺骨皿７を設けた後に、図１に示されているように各容器に設けられた前記突部５に紐状の結合部材６を通し、その端部同士を結合させることによって下段容器２と上段容器３とを結合する。ここで、結合の方法について詳述すると、まず下段容器２の開口８に上段容器３を載置する。その際に下段容器２に設けられている突部５と、上段容器３に設けられている突部５とが上面から見た場合に均等な間隔にて交互に配置されるよう角度を調節する。そして、前記結合部材６を時計周り又は反時計周りに交互に通していき、図１に示されているように、上段容器の突部５が設けられていない部分にて結合部材６の端部同士を結合する。その後に上段容器３の開口８に蓋体４を載置する。なお、香を焚く際には、前記蓋体４を外し、容器の中に灰を入れたり、載置台を置くなどして香を焚けば良い。
【００２９】
上記第１実施形態の構造を用いることにより上段容器３に香炉の機能、下段容器２にペットの遺骨や遺品などを収納する骨壷の機能を持たせることができ、さらに下段容器２の内部に遺骨の一部を固着した遺骨皿７を設けることにより、遺骨の保存が容易で、かつ室内装飾品としても利用価値の高い葬祭用香炉が実現する。また、下段容器２及び上段容器３の側面に突部５を設け、該突部５を用いて下段容器２と上段容器３とを結合部材６によって結合する構造を用いることにより、子供のいたずら等で不必要なときに遺骨の収容部分が開けられることを防止する葬祭用香炉が実現する。
【００３０】
なお、本第１実施形態では、上段容器３の開口８を上面に設けているが、開口８は、香の出し入れや煙の排出を行うことができれば様々な形状、配置にすることが可能である。よって開口８を側面に設けたり、複数個設けることも可能である。また、前記突部５の形状は、リング状に限らず、紐状の結合部材６を通したり、引掛けたりすることにより、上段容器３と下段容器２とを結合させることが可能であれば、フックなどのような形状を用いることも可能である。また、下段容器と上段容器との結合手段として各容器に孔部を設けることも可能である。その場合には、下段容器の周壁面を貫通する孔部と、上段容器の側面から底面に貫通する孔部とに通した前記紐状の結合部材を結合することによって下段容器と上段容器とを結合させることが可能である。
【００３１】
次に、本発明の第２実施形態について詳述する。
図４及び図５に示すように、本発明の第２実施形態の葬祭用香炉１は、前記第１実施形態と同様にそれぞれの容器や蓋体が陶器、金属、石など不燃性又は難燃性の材質によって成形されており、遺骨や遺品を収納するための下段容器２と、香炉としての上段容器３と、上段容器３の開口８を覆うための蓋体４と、愛玩動物の遺骨を固着した遺骨皿７とで構成されている。なお、該遺骨皿７には、上記第１実施形態に記載した遺骨皿７と同一のものが用いられている。
【００３２】
本実施形態の上段容器３は、フランジ部３ａと、容器部３ｂとからなり、フランジ部３ａの外径は下段容器２の内径より大きく、容器部３ｂの外径は下段容器２の内径より小さい形状になっている。そのため、図２（ｂ）に示すように下段容器２と上段容器３とを組み立てた際には上段容器３が下段容器２の内部へ収納され、フランジ部３ａが下段容器２の開口部によって支持されるようになっている。従って、前記下段容器２と上段容器３とが外れにくい構造となることから、前記第１実施形態に用いられている突部５や、結合部材６を用いることによって各容器を結合する必要がない。
【００３３】
また、本実施形態では、蓋体４に孔１０が設けてある。この孔１０によって、蓋体４を上段容器２に取り付けた状態にて香を焚くことが可能となっている。
【００３４】
さらに、本発明の第３実施形態について詳述する。
図６及び図７に示すように、本発明の第３実施形態の葬祭用香炉１は、遺骨や遺品などを収納するために設けられ、上面に開口８を有する本体１１と、該本体１１の開口８を覆う蓋体４と、ペットの遺骨９が固着された遺骨皿７とを有し、該遺骨皿７が前記本体１１の内部に設けられている。なお、該遺骨皿７には、上記第２実施形態と同様、上記第１実施形態に記載した遺骨皿７と同一のものが用いられている。
【００３５】
本第３実施形態は、前記第１及び第２実施形態と異なり、香炉と遺骨収納容器とを兼用させているが、本第３実施形態に用いられている遺骨皿７には、遺骨９が焼き込み又は接着により固着されている。そのため、灰などを同一の容器に入れた場合にも遺骨と混合することがない。
【００３６】
よって、本第３実施形態のように香炉と骨壷の両方の機能を本体１１に併有させることも可能となっている。
【００３７】
以上、本発明の葬祭用香炉を図示の実施形態について説明したが、本発明は上記の実施形態に限定されるものではなく、種々の改良や改変を行なうことが可能であることは言うまでもない。
【００３８】
【発明の効果】
以上に述べたように、本発明によれば、香炉と、ペットの遺骨や遺品などを収納する骨壷との機能を併有する容器の中に、遺骨の一部を固着した遺骨皿を設けているため、遺骨の保存が容易で、かつ室内装飾品としても利用価値の高い葬祭用香炉が実現する。
【図面の簡単な説明】
【図１】本発明の葬祭用香炉の第１実施形態を示す斜視図である。
【図２】本発明の葬祭用香炉の第１実施形態の分解斜視図である。
【図３】（ａ）は、本発明の葬祭用香炉の第１実施形態に用いられている下段容器の上面図、（ｂ）は、本発明の第１実施形態に用いられている上段容器の上面図である。
【図４】本発明の葬祭用香炉の第２実施形態を示す斜視図である。
【図５】本発明の葬祭用香炉の第２実施形態の分解斜視図である。
【図６】本発明の葬祭用香炉の第３実施形態を示す斜視図である。
【図７】本発明の葬祭用香炉の第３実施形態の分解斜視図である。
【符号の説明】
１    葬祭用香炉
２    下段容器
３    上段容器
３ａ  フランジ部
３ｂ  容器部
４    蓋体
５    突部
６    結合部材
７    遺骨皿
８    開口
９    遺骨
１０    孔
１１    本体
【図１】
0004454074.tif 000002
【図２】
0004454074.tif 000003
【図３】
0004454074.tif 000004
【図４】
0004454074.tif 000005
【図５】
0004454074.tif 000006
【図６】
0004454074.tif 000007
【図７】
0004454074.tif 000008